(57)【要約】【課題】  次回使用時の粘着テープの引き出し開始が簡単で、貼着作業が順調に行えるハンディテープカッター具を提供する。【解決手段】  粘着テープＭのテープ巻回体Ｎを保持するカッター具本体１００に、押し下げ力を受けて下降して粘着テープＭを切断するカッター３を上下動可能に弾性支持し、前記カッター具本体１００にテープ押さえ部材５を上下動可能に弾性支持し、前記カッター３の刃部３０は、粘着テープＭの未使用部位ＭＢの切断端ｍに前方へ突出する被押し付け面Ｍａを残存させる屈曲部３０ｂを有しており、前記テープ端押さえ部材５は、次回の貼着時に、押し下げ操作を受けて前記被押し付け面部Ｍａを押し付けるように設定する。【選択図】  図５
2006168910.tif 000002
【特許請求の範囲】
【請求項１】
テープ巻回体から粘着テープを繰り出し可能に該テープ巻回体を保持するカッター具本体と、
このカッター具本体に上下動可能に弾性支持されて、押し下げ力を受けて前記テープ巻回体から引き出されて被貼着面に貼着された粘着テープを切断するカッターと、
前記カッター具本体に上下動可能に弾性支持されたテープ端押さえ部材と、
を備え、
前記テープカッターの刃部は、粘着テープを切断した時に該粘着テープの未使用部位側の切断端に前方へ突出する被押し付け面部を残存させる屈曲部を有しており、
前記テープ端押さえ部材は、次回に粘着テープの未使用部位側を被貼着面に貼着する際に、押し下げ操作を受けて前記粘着テープ未使用部位側切断端における被押し付け面部を押し付けるように設定されていることを特徴とするハンディテープカッター具。
【請求項２】
前記カッター具本体は、前記先端にカッター押下げ部を有し、前記テープ巻回体を保持するテープホルダと、前記カッターを保持するカッタホルダとから構成され、
前記カッターホルダの後部に前記テープホルダが垂直面内で回動可能に枢支・連結されており、
前記テープホルダの上方への回動変移操作に伴って、前記カッター押下げ部により前記カッターを押し下げるように構成した請求項１に記載のハンディテープカッター具。
【請求項３】
前記テープカッターの刃部は、粘着テープの幅方向へ沿った長刃部と、長刃部から斜め前方へ向かって前記屈曲部を構成する短刃部とから横断面形状が略への字形に形成されてなる請求項１または２に記載のハンディテープカッター具。
【発明の詳細な説明】
【技術分野】
【０００１】
この発明は、粘着テープが巻装されたテープ巻回体を使用するハンディテープカッター具に関する。
【背景技術】
【０００２】
従来のテープカッター具は、粘着テープが巻装されたテープ巻回体を回転可能に保持するテープホルダの先端部にカッターが固定されており、使用する場合には、テープ巻回体から所定長さのテープを引き出してから前記カッターに引っ掛けて切断し、その所定長さ分を被貼着面に貼着するか、あるいは、前記テープ巻回体から所定の長さ分を引き出して被貼着面に貼着した状態で、切断箇所を前記カッターに引っ掛けて切断するようになっている。
【発明の開示】
【発明が解決しようとする課題】
【０００３】
しかし、上記した従来のテープカッター具は、粘着テープを幅方向へ沿って切断した際の未使用部位側の切断端がそのまま直線状になっているから、次回使用する時に、テープ切断端をテープ巻回体から引き離してテープ巻回体から引き出すのに手間がかかることが多く、扱いにくい。
【０００４】
この発明は、上記実情に鑑みてなされたものであり、次回使用時のテープ端を被貼着面に容易に貼着でき、貼着作業が順調に行えるハンディテープカッター具を提供することを課題とする。
【課題を解決するための手段】
【０００５】
上記課題は、以下の手段によって解決される。
（１）テープ巻回体から粘着テープを繰り出し可能に該テープ巻回体を保持するカッター具本体と、このカッター具本体に上下動可能に弾性支持されて、押し下げ力を受けて前記テープ巻回体から引き出されて被貼着面に貼着された粘着テープを切断するカッターと、前記カッター具本体に上下動可能に弾性支持されたテープ端押さえ部材とを備え、前記テープカッターの刃部は、粘着テープを切断した時に該粘着テープの未使用部位側の切断端に前方へ突出する被押し付け面部を残存させる屈曲部を有しており、前記テープ端押さえ部材は、次回に粘着テープの未使用部位側を被貼着面に貼着する際に、押し下げ操作を受けて前記粘着テープ未使用部位側切断端における被押し付け面部を押し付けるように設定されていることを特徴とするハンディテープカッター具。
（２）前記カッター具本体は、前記先端にカッター押下げ部を有し、前記テープ巻回体を保持するテープホルダと、前記カッターを保持するカッタホルダとから構成され、前記カッターホルダの後部に前記テープホルダが垂直面内で回動可能に枢支・連結されており、  前記テープホルダの上方への回動変移操作に伴って、前記カッター押下げ部により前記カッターを押し下げるように構成した前項（１）に記載のハンディテープカッター具。
（３）前記テープカッターの刃部は、粘着テープの幅方向に沿った長刃部と、長刃部から斜め前方へ向かって前記屈曲部を構成する短刃部とから横断面形状が略への字形に形成されてなる前項（１）または（２）に記載のハンディテープカッター具。
【発明の効果】
【０００６】
前項（１）に記載の発明によれば、テープ巻回体から引き出された粘着テープを被貼着面に所定の長さ分が貼着した状態で、前記カッターに対して弾性支持力に抗する押し下げ力を付勢すれば、このカッターが下降変移して粘着テープが所定位置で切断される。この時、カッターの刃部の屈曲部により、粘着テープの未使用部位側切断端に前方へ突出する被押し付け面部が残存される。
【０００７】
ついで、次の貼着時に、前記テープ端押さえ部材を弾性支持力に抗して押し下げれば、このテープ端押さえ部材が下降変移して前記粘着テープ未使用部位側切断端における被押し付け面部を被貼着面に押し付けるので、この状態からカッター具本体を後退させれば、粘着テープの未使用部位側がテープ巻回体から引き出されるので、粘着テープの貼着作業が速やかに行われる。
【０００８】
前項（２）の発明によれば、前記テープホルダをカッターホルダに対して上方へ回動変移させれば、前記カッターホルダの先端のカッター押下げ部により前記カッターが押し下げられるので、カッターに対して手でわざわざ押し下げ操作しなくても、被貼着面に貼着された粘着テープをてこの原理で容易に切断することができる。
【０００９】
前項（３）の発明によれば、前記カッターの刃部の横断面形状が略への字形であるから、比較的な刃部構造でありながら、前記粘着テープ未使用部側切断端に前方へ突出する被押し付け面部を残存させることができる。
【発明を実施するための最良の形態】
【００１０】
以下、この発明の実施形態を図面に基づいて説明する。
【００１１】
図１は、この発明の実施形態にかかるハンディテープカッター具を示す分解斜視図、図２は、同じくハンディテープカッター具の平面図、図３は、同じくハンディテープカッター具を示す一部破断側面図である。
【００１２】
図１〜図３において、このハンディテープカッター具は、カッター具本体１００と、テープ切断用のカッター３と、カッター復帰用ばね部材４と、テープ端押さえ部材５、テープ押さえ部材用復帰ばね部材６とを備えている。
【００１３】
前記カッター具本体１００は、テープホルダ１とカッターホルダ２とから構成されている。
【００１４】
前記テープホルダ１は、テープ巻回体Ｎを取り外し可能に保持するためのものであり、例えば合成樹脂などからなり、後半部１Ｂは把持部を兼ねている。なお、テープ巻回体Ｎは、環状の心材Ｎａの外周面に粘着テープＭが巻装されたものである。
【００１５】
前記テープホルダ１には、前半部１Ａと後半部１Ｂとに跨がる位置に、上下方向から縦姿勢のテープ巻回体Ｎを挿入可能な上下開放の空所１１が形成されている。
【００１６】
前記空所１１を挟んで対向する左右一対の側壁部１ａ，１ｂ間には、テープ巻回体Ｎの中央孔Ｈに遊嵌されて該テープ巻回体Ｎを支持する支持軸体１２が設けられている。
【００１７】
この支持軸体１２は、例えば左側壁部１ａに形成されている軸孔１３ａに挿入可能な鍔付き雄軸部１４ａと、右側壁部１ｂに形成されている軸孔１３ｂに挿入可能な筒形の鍔付き雌軸部１４ｂとからなる。
【００１８】
この鍔付き雌軸部１４ｂの内周面には、前記鍔付き雄軸部１４の外周面に形成された雄ねじ１５ａに螺合される雌ねじ１５ｂが形成されており、テープ巻回体Ｎの孔Ｈに通した鍔付き雌軸部１４ｂの雌ねじ１５ｂに鍔付き雄軸部１４ａの雄ねじ１５ａを螺合させれば、前記テープホルダ１にテープ巻回体Ｎが支持される。
【００１９】
なお、前記テープ巻回体Ｎにおける心材Ｎａの孔Ｈの内径が前記支持軸体１２の外径よりもかなり大きい場合には、前記孔Ｈの内周面と支持軸体１２の外周との間に配されるスペーサ部材（図示せず）を介在できるようになっている。このスペーサ部材は、例えば平面形状が略Ｕ字形の板ばねからなり、その両端を前記左右一対の側壁部１ａ，１ｂにそれぞれ形成された縦溝１ｃ，１ｄに嵌挿して装着できるようになっている。
【００２０】
前記テープホルダ１の前半部１Ａの左右両側壁部１ａ，１ｂには、前記カッターホルダ２側に侵入できるように、薄肉部１６ａ，１６ｂとして形成され、また、先端には、カッター押下げ部１７が突出して形成されている。
【００２１】
前記カッターホルダ２は、合成樹脂などからなり、その後端部２Ｂ側には、前記テープホルダ１の前半部１Ａ側が上下方向から侵入可能な空所２１が形成されており、この空所２１を挟んで対向する左右の両側壁部２ａ，２ｂには、それぞれ孔２１ａ，２１ｂが形成されている。
【００２２】
これら孔２１ａ，２１ｂには、前記テープホルダ１の前半部１Ａに貫通形成された軸孔１８ａに挿通される枢支ピン２２の両端部が挿入支持されている。
【００２３】
前記空所２１に挿入された前記テープホルダ１は、前記枢支ピン２２を介して垂直面内に沿って回動可能に枢支・連結されている。
【００２４】
前記カッターホルダ２における空所２１の前側内壁には、低落した段部２１ａが形成されている。この段部２１ａには、カッターガイド用縦孔２３が上下方向で貫通して形成されており、この縦孔２３には、前記カッター３がスライド自在に嵌挿されている。
【００２５】
前記空所２１の前側内壁には、横孔４１が形成されている。この横孔４１には、例えば板ばねからなるカッター復帰用ばね部材４の基端が圧入・固定される一方、その先端側に前記カッター３を連結・固定してある。これにより、カッター３は、前記縦孔２３内で上下動可能に弾性支持されている。
【００２６】
前記カッター３の刃部３０は、図５に示すように、前記テープ巻回体Ｎから繰り出された粘着テープＭのうちのテープ未使用部位側ＭＢの切断端ｍに前方へ突出する被押し付け面部Ｍａが残存するように、例えば粘着テープＭの幅方向に沿った長刃部３０ａと該長刃部３０ａから斜め前方へ向かう屈曲部としての短刃部３０ｂとからなり、横断面形状が略への字形に形成されている。
【００２７】
前記テープ押さえ部材５は、例えば棒状に形成されて、前記カッター３の近傍に位置してカッターホルダ２に固定された保持部材５１により上下動自在に保持されるとともに、この保持部材５１と前記テープ押さえ部材５に固定されたばね座部５２との間に介在された復帰用ばね部材、例えば圧縮コイルばね６により上下動可能に弾性支持されている。
【００２８】
このテープ押さえ部材５は、前記粘着テープＭを次回に使用する際に押下げ操作されるものであり、テープ巻回体Ｎから引き出されている粘着テープ未使用部位ＭＢを被貼着面Ｐに貼着する際に前記押下げ操作力を受けて下降変移し、前記粘着テープ未使用部位側切断端ｍにおける被押し付け面部Ｍａを被貼着面Ｐに押し付けるように設定されている。
【００２９】
前記カッターホルダ２の下面には、テープ巻回体Ｎから引き出された粘着テープＭの貼着部位ＭＡを被貼着面Ｐに押し付けるために曲面状のテープ摺接面部２４が設けられている。
【００３０】
また、前記カッターホルダ２における空所２１内には、前記カッター３の配設位置よりも後方（テープ繰り出し方向上流側）に位置して、粘着テープＭをカッター３の直下を通過させるテープ端案内用のローラ２５が配設されるとともに、前記空所２１の左右内壁の孔２６，２６間に架設された軸体２７に回転可能に支持されている。
【００３１】
なお、前記テープホルダ１とカッターホルダ２との間には、連結状態を解除可能にロックするロック部材７が配設されている。
【００３２】
このロック部材７の上端側は、前記テープホルダ１の前部１Ａにおける前端開口のスライド溝７１に嵌挿される一方、他端側は、前記カッターホルダ２の後部２Ｂにおける後端開放のスライド溝７２に嵌挿されており、前記テープホルダ１をカッターホルダ２に対して回動操作する際には、前記ロック部材７の上端側を前記テープホルダ１側のスライド溝７１から前記カッターホルダ２側のスライド溝７２に移行させれば、ロックが解除されるようになっている。
【００３３】
つぎに、上記構成のハンディテープカッター具の使用手順を説明する。
【００３４】
まず、前記ロック部材７を図３に示すように、テープホルダ１とカッターホルダ２との間に跨がる位置に設定して、テープホルダ１をカッターホルダ２に対して回動操作ができないようにロックしておく。
【００３５】
また、テープ巻回体Ｎから引き出された粘着テープＭの先端が前記カッターホルダ２の空所２１を通って前記ローラ２５の前面側から前記摺接面部２４側に引き出されている状態にしておく。
【００３６】
この状態で、前記粘着テープＭの先端を被貼着面Ｐに付けてから、前記テープホルダ１を把持してカッタ−ホルダ２側の摺接面部２４で粘着テープＭを軽く押し付けながら後退させると、粘着テープＭがテープ巻回体Ｎから引き出されて被貼着面Ｐに貼着される。
【００３７】
所定の長さの粘着テープＭを貼着した後、前記ロック部材７を図４に示すように、カッターホルダ２におけるスライド溝７２側にスライド移動させてロックを解除すれば、枢支ピン２２を支点にしたテープホルダ１のカッターホルダ２に対する回動変移が可能となる。
【００３８】
テープホルダ１を枢支ピン２２を支点にして上方へ回動操作すれば、てこの原理によりカッター押下げ部１７により前記カッター４が下方へ押圧されるので、カッター３は前記復帰用ばね部材４のばね力に抗して下降変移し、前記粘着テープＭが所定の切断ラインに沿って切断される。
【００３９】
前記テープホルダ１の上方への回動操作を戻し、カッター押下げ部１７による押下げ操作を解除させれば、カッター３は、前記復帰ばね４のばね力で上昇して元の位置に復帰する。
【００４０】
前記カッター３の刃部３０は、横断面形状が略への字形であるから、切断された粘着テープＭにおける未使用部位側切断端ｍには、図５に示すように、前方へ突出する三角形の被押し付け面部Ｍａが残存している。
【００４１】
なお、このカッター３の刃部３０は、前記粘着テープＭにおける未使用部位側切断端ｍから前方へ突出する被押し付け面部Ｍａが形成できれば、その横断面形状は任意であるが、この例のように、略へ字形であるので、比較的簡単な構造で作成しやすいうえ、前記被押し付け面部Ｍａを容易に形成することができる。
【００４２】
そして、次回に、テープ巻回体Ｎから引き出されている粘着テープＭを新たな被粘着面Ｐに貼する際には、前記粘着テープＭにおける未使用部位側切断端ｍがすでに前記ローラ２５の前面側付近に存在している。
【００４３】
この時、テープ押さえ部材５を押下げ操作すれば、図６に示すように、テープ押さえ部材５が復帰ばね６のばね力に抗して降下して前記粘着テープＭにおける被押し付け面部Ｍａが被貼着面Ｐに押し付けられるので、前記テープホルダ１を把持して後退させれば、粘着テープＭにおける未使用側ＭＢ側の引き出し開始がスムースに行われる。
【００４４】
なお、前記カッター具本体１００をテープホルダ１とカッターホルダ２とに別けて構成しなくても、前記カッター３により粘着テープＭの切断などの動作が行えるが、この実施形態のように、テープホルダ１をカッターホルダ２に対して回動可能に連結したことにより、手でわざわざカッター３を下降変移させなくても、前記テープホルダ１の回動操作で容易に前記カッター３を下降変移させることができる。
【図面の簡単な説明】
【００４５】
【図１】この発明の実施形態にかかるハンディテープカッター具を示す分解斜視図である。
【図２】同じくハンディテープカッター具を示す平面図である。
【図３】同じくハンディテープカッター具をテープ貼着状態で示す一部破断側面図である。
【図４】同じくハンディテープカッター具をテープ切断状態で示す一部破断側面図である。
【図５】カッターおよびテープ切断部付近を拡大して示す斜視図である。
【図６】テープ押さえ部材により粘着テープにおける被押し付け面部を押し付けた状態の説明図である。
【符号の説明】
【００４６】
１・・・・・・テープホルダ
２・・・・・・カッターホルダ
３・・・・・・カッター
５・・・・・・テープ押さえ部材
１７・・・・・テープ押下げ部
３０・・・・・カッターの刃部
３０ａ・・・・刃部における長刃部
３０ｂ・・・・刃部における短刃部（屈曲部）
１００・・・・カッター具本体
Ｍ・・・・・・粘着テープ
ｍ・・・・・・粘着テープの未使用部位側切断端
Ｍａ・・・・・粘着未使用部位側テープ切断端の被押し付け面部
Ｎ・・・・・・テープ巻回体
【図１】
2006168910.tif 000003
【図２】
2006168910.tif 000004
【図３】
2006168910.tif 000005
【図４】
2006168910.tif 000006
【図５】
2006168910.tif 000007
【図６】
2006168910.tif 000008